(57)【要約】      （修正有）【課題】イヤーセットに含まれる限られた入力インタフェースによって多様な機能をより簡単に制御することができるイヤーセット制御方法およびシステムを提供する。【解決手段】イヤーセット制御方法は、イヤーセットペアのうち第１イヤーセットのタッチ領域に対するタッチジェスチャーを認識する段階５１０、第１種類のタッチジェスチャーの認識に応答し、予め設定された時間内に第２種類のタッチジェスチャーがさらに認識されるかどうかを確認する段階５２０、予め設定された時間内に第２種類のタッチジェスチャーがさらに認識されなかった場合には、認識された第１種類のタッチジェスチャーに対して第１制御信号を生成し５３０、予め設定された時間内に第２種類のタッチジェスチャーがさらに認識された場合には、認識された第１種類のタッチジェスチャーに対して第２制御信号を生成する段階５４０を含む。【選択図】図５
2020042799.tif 000002
【特許請求の範囲】
【請求項１】
イヤーセット制御方法であって、
イヤーセットペアのうち第１イヤーセットのタッチ領域に対するタッチジェスチャーを認識する段階、
第１種類のタッチジェスチャーの認識に応答し、予め設定された時間内に第２種類のタッチジェスチャーがさらに認識されるかどうかを確認する段階、および
前記予め設定された時間内に前記第２種類のタッチジェスチャーがさらに認識されなかった場合には、前記認識された第１種類のタッチジェスチャーに対して第１制御信号を生成し、前記予め設定された時間内に前記第２種類のタッチジェスチャーがさらに認識された場合には、前記認識された第１種類のタッチジェスチャーに対して第２制御信号を生成する段階
を含む、イヤーセット制御方法。
【請求項２】
前記第１制御信号は、音源制御に関連する第１音源制御信号を含み、
前記第２制御信号は、オーディオボリューム制御に関連する第１ボリューム制御信号を含む、
請求項１に記載のイヤーセット制御方法。
【請求項３】
前記第２制御信号を生成する段階は、
前記さらに認識された第２種類のタッチジェスチャーの認識時間によって第２ボリューム制御信号をさらに生成する、
請求項２に記載のイヤーセット制御方法。
【請求項４】
前記第１ボリューム制御信号は、オーディオボリュームレベルを現在のレベルから１レベルだけ増加または減少させるための信号を含み、
前記第２ボリューム制御信号は、オーディオボリュームレベルを現在のレベルから前記第２種類のタッチジェスチャーによって認識されるタッチ時間に応じて漸進的に増加または減少させるための信号を含む、
請求項３に記載のイヤーセット制御方法。
【請求項５】
前記第１種類のタッチジェスチャーおよび前記第２種類のタッチジェスチャーは、前記タッチ領域で連続して認識されるタッチの時間に基づいて区分される、
請求項１に記載のイヤーセット制御方法。
【請求項６】
前記イヤーセットペアのうち第２イヤーセットのタッチ領域に対するタッチジェスチャーを認識する段階、
前記第２イヤーセットのタッチ領域に対して第１種類のタッチジェスチャーの認識に応答し、予め設定された時間内に第２種類のタッチジェスチャーが前記第２イヤーセットのタッチ領域に対してさらに認識されるかどうかを確認する段階、および
前記予め設定された時間内に前記第２種類のタッチジェスチャーが前記第２イヤーセットのタッチ領域に対してさらに認識されなかった場合には、前記第２イヤーセットのタッチ領域に対して認識された第１種類のタッチジェスチャーに対して第３制御信号を生成し、前記予め設定された時間内に前記第２種類のタッチジェスチャーが前記第２イヤーセットのタッチ領域に対してさらに認識された場合には、前記第２イヤーセットのタッチ領域に対して認識された第１種類のタッチジェスチャーに対して第４制御信号を生成する段階
をさらに含む、
請求項１に記載のイヤーセット制御方法。
【請求項７】
前記第３制御信号は、音源制御に関する第２音源制御信号を含み、
前記第４制御信号は、オーディオボリューム制御に関する第３ボリューム制御信号を含む、
請求項６に記載のイヤーセット制御方法。
【請求項８】
前記第４制御信号を生成する段階は、
前記予め設定された時間内に前記第２種類のタッチジェスチャーが前記第２イヤーセットのタッチ領域に対してさらに認識された場合、前記さらに認識された第２種類のタッチジェスチャーに対して第４ボリューム制御信号をさらに生成する、
請求項７に記載のイヤーセット制御方法。
【請求項９】
前記第２制御信号および前記第４制御信号は、オーディオボリュームを互いに異なる方式によって制御するための信号である、
請求項６に記載のイヤーセット制御方法。
【請求項１０】
イヤーセット制御方法であって、
第１イヤーセットおよび第２イヤーセットにオーディオ信号を送信する段階、
前記第１イヤーセットおよび前記第２イヤーセットそれぞれに含まれる接近センサの出力値に基づき、前記第１イヤーセットおよび前記第２イヤーセットの両方が利用者の耳から外されているかどうかを決定する段階、および
前記第１イヤーセットおよび前記第２イヤーセットの両方が利用者の耳から外されていると決定された場合、前記オーディオ信号の送信を停止する段階
を含む、イヤーセット制御方法。
【請求項１１】
前記第１イヤーセットおよび前記第２イヤーセットそれぞれに含まれる接近センサの出力値の変化に基づき、前記第１イヤーセットおよび前記第２イヤーセットのうちの少なくとも１つが前記利用者の耳と結合しているかどうかを決定する段階、および
前記第１イヤーセットおよび前記第２イヤーセットのうちの少なくとも１つが前記利用者の耳と結合していると決定された場合、前記停止されていたオーディオ信号の送信を再開する段階
をさらに含む、請求項１０に記載のイヤーセット制御方法。
【請求項１２】
前記オーディオ信号を送信する段階は、
現在再生中の音源のオーディオ信号を送信し、
前記オーディオ信号の送信を停止する段階は、
前記現在再生中の音源の再生を停止して前記オーディオ信号の送信を停止する、
請求項１０に記載のイヤーセット制御方法。
【請求項１３】
前記オーディオ信号を送信する段階は、
現在接続中の電話呼によって伝達されるオーディオ信号を送信し、
前記オーディオ信号の送信を停止する段階は、
前記現在接続中の電話呼によって伝達されるオーディオ信号の送信を停止する、
請求項１０に記載のイヤーセット制御方法。
【請求項１４】
イヤーセット制御方法であって、
第１イヤーセットおよび第２イヤーセットの基本設定値を記録する段階、
前記第１イヤーセットおよび前記第２イヤーセットの現在設定値を記録する段階、
前記第１イヤーセットおよび前記第２イヤーセットそれぞれのタッチ領域に対するタッチジェスチャーを認識する段階、および
前記第１イヤーセットおよび前記第２イヤーセットそれぞれに対して予め設定されたタッチジェスチャーが予め設定された時間範囲内に連続して認識された場合、前記第１イヤーセットおよび前記第２イヤーセットの現在設定値を前記基本設定値に基づいて変更する段階
を含む、イヤーセット制御方法。
【請求項１５】
前記基本設定値は、前記第１イヤーセットおよび前記第２イヤーセットのオーディオボリュームに対する基本値を含み、
前記現在設定値は、前記第１イヤーセットおよび前記第２イヤーセットのオーディオボリュームに対する現在値を含む、
請求項１４に記載のイヤーセット制御方法。
【請求項１６】
前記変更する段階は、
前記予め設定されたタッチジェスチャーが予め設定された時間範囲内に連続して認識されると同時に、前記現在設定値が予め設定された値の範囲を逸脱した場合、前記第１イヤーセットおよび前記第２イヤーセットの現在設定値を前記基本設定値に基づいて変更する、
請求項１４に記載のイヤーセット制御方法。
【請求項１７】
コンピュータと結合して請求項１乃至１６のうちのいずれか一項に記載の方法をコンピュータに実行させる、コンピュータプログラム。
【請求項１８】
請求項１乃至１６のうちのいずれか一項に記載の方法をコンピュータに実行させるためのコンピュータプログラムが記録されている、コンピュータ読み取り可能な記録媒体。
【請求項１９】
コンピュータ装置であって、
前記コンピュータ装置で読み取り可能な命令を実行するように実現される少なくとも１つのプロセッサ
を含み、
前記少なくとも１つのプロセッサにより、
イヤーセットペアのうち第１イヤーセットのタッチ領域に対するタッチジェスチャーを認識し、
第１種類のタッチジェスチャーの認識に応答し、予め設定された時間内に第２種類のタッチジェスチャーがさらに認識されるかどうかを確認し、
前記予め設定された時間内に前記第２種類のタッチジェスチャーがさらに認識されなかった場合には、前記認識された第１種類のタッチジェスチャーに対して第１制御信号を生成し、前記予め設定された時間内に前記第２種類のタッチジェスチャーがさらに認識された場合には、前記認識された第１種類のタッチジェスチャーに対して第２制御信号を生成する、
コンピュータ装置。
【請求項２０】
コンピュータ装置であって、
前記コンピュータ装置で読み取り可能な命令を実行するように実現される少なくとも１つのプロセッサ
を含み、
前記少なくとも１つのプロセッサにより、
第１イヤーセットおよび第２イヤーセットにオーディオ信号を送信し、
前記第１イヤーセットおよび前記第２イヤーセットそれぞれに含まれる接近センサの出力値に基づき、前記第１イヤーセットおよび前記第２イヤーセットの両方が利用者の耳から外されているかどうかを決定し、
前記第１イヤーセットおよび前記第２イヤーセットの両方が利用者の耳から外されていると決定された場合、前記オーディオ信号の送信を停止する、
コンピュータ装置。
【請求項２１】
コンピュータ装置であって、
前記コンピュータ装置で読み取り可能な命令を実行するように実現される少なくとも１つのプロセッサ
を含み、
前記少なくとも１つのプロセッサにより、
第１イヤーセットおよび第２イヤーセットの基本設定値を記録し、
前記第１イヤーセットおよび前記第２イヤーセットの現在設定値を記録し、
前記第１イヤーセットおよび前記第２イヤーセットそれぞれのタッチ領域に対するタッチジェスチャーを認識し、
前記第１イヤーセットおよび前記第２イヤーセットそれぞれに対して予め設定されたタッチジェスチャーが予め設定された時間範囲内に連続して認識された場合、前記第１イヤーセットおよび前記第２イヤーセットの現在設定値を前記基本設定値に基づいて変更する、
コンピュータ装置。
【発明の詳細な説明】
【技術分野】
【０００１】
以下の説明は、イヤーセット制御方法およびシステム、並びにコンピュータと結合して本発明の実施形態に係るイヤーセット制御方法をコンピュータに実行させるためにコンピュータ読み取り可能な記録媒体に記録されたコンピュータプログラムとその記録媒体に関する。
【背景技術】
【０００２】
イヤーセット（ｅａｒｓｅｔ）とは、電話機に繋げることで手を使わずに通話することができるイヤホンとマイクを備えた機器であって、例えば、スマートフォンに繋げた場合、電話通話はもちろん、音楽のようなオーディオを受信して出力したり、物理的なボタンやセンサ、あるいは音声によってスマートフォンを制御するための多様な制御信号をスマートフォンに提供したりする。例えば、特許文献１は、イヤーカーネルマイクが内蔵されたブルートゥース（登録商標）イヤーセットを開示している。
【先行技術文献】
【特許文献】
【０００３】
【特許文献１】韓国公開特許第１０−２０１７−００３０３７５号公報
【発明の概要】
【発明が解決しようとする課題】
【０００４】
イヤーセットに含まれる限られた入力インタフェース（一例として、イヤーセットに含まれるタッチセンサのタッチインタフェース）によって多様な機能をより簡単に制御することができるイヤーセット制御方法、イヤーセット制御方法を実行するコンピュータ装置、イヤーセット制御方法をコンピュータに実行させるためにコンピュータ読み取り可能な記録媒体に記録されたコンピュータプログラムおよびその記録媒体を提供する。
【０００５】
ユーザのイヤーセット着用状況に応じてオーディオ信号の送信を制御することができるイヤーセット制御方法、イヤーセット制御方法を実行するコンピュータ装置、イヤーセット制御方法をコンピュータに実行させるためにコンピュータ読み取り可能な記録媒体に記録されたコンピュータプログラムおよびその記録媒体を提供する。
【０００６】
イヤーセットの設定値を速やかに基本設定値に戻すことができるイヤーセット制御方法、イヤーセット制御方法を実行するコンピュータ装置、イヤーセット制御方法をコンピュータに実行させるためにコンピュータ読み取り可能な記録媒体に記録されたコンピュータプログラムおよびその記録媒体を提供する。
【課題を解決するための手段】
【０００７】
イヤーセットペアのうち第１イヤーセットのタッチ領域に対するタッチジェスチャーを認識する段階、第１種類のタッチジェスチャーの認識に応答し、予め設定された時間内に第２種類のタッチジェスチャーがさらに認識されるかどうかを確認する段階、および前記予め設定された時間内に前記第２種類のタッチジェスチャーがさらに認識されなかった場合には、前記認識された第１種類のタッチジェスチャーに対して第１制御信号を生成し、前記予め設定された時間内に前記第２種類のタッチジェスチャーがさらに認識された場合には、前記認識された第１種類のタッチジェスチャーに対して第２制御信号を生成する段階を含む、イヤーセット制御方法を提供する。
【０００８】
第１イヤーセットおよび第２イヤーセットにオーディオ信号を送信する段階、前記第１イヤーセットおよび前記第２イヤーセットそれぞれに含まれる接近センサの出力値に基づき、前記第１イヤーセットおよび前記第２イヤーセットの両方が利用者の耳から外されているかどうかを決定する段階、および前記第１イヤーセットおよび前記第２イヤーセットの両方が利用者の耳から外されていると決定された場合、前記オーディオ信号の送信を停止する段階を含む、イヤーセット制御方法を提供する。
【０００９】
第１イヤーセットおよび第２イヤーセットの基本設定値を記録する段階、前記第１イヤーセットおよび前記第２イヤーセットの現在設定値を記録する段階、前記第１イヤーセットおよび前記第２イヤーセットそれぞれのタッチ領域に対するタッチジェスチャーを認識する段階、および前記第１イヤーセットおよび前記第２イヤーセットそれぞれに対して予め設定されたタッチジェスチャーが予め設定された時間範囲内に連続して認識された場合、前記第１イヤーセットおよび前記第２イヤーセットの現在設定値を前記基本設定値に基づいて変更する段階を含む、イヤーセット制御方法を提供する。
【００１０】
コンピュータと結合して前記イヤーセット制御方法をコンピュータに実行させるためにコンピュータ読み取り可能な記録媒体に記録された、コンピュータプログラムを提供する。
【００１１】
前記イヤーセット制御方法をコンピュータに実行させるためのプログラムが記録されている、コンピュータ読み取り可能な記録媒体を提供する。
【００１２】
コンピュータ装置であって、前記コンピュータ装置で読み取り可能な命令を実行するように実現される少なくとも１つのプロセッサを含み、前記少なくとも１つのプロセッサにより、イヤーセットペアのうち第１イヤーセットのタッチ領域に対するタッチジェスチャーを認識し、第１種類のタッチジェスチャーの認識に応答し、予め設定された時間内に第２種類のタッチジェスチャーがさらに認識されるかどうかを確認し、前記予め設定された時間内に前記第２種類のタッチジェスチャーがさらに認識されなかった場合には、前記認識された第１種類のタッチジェスチャーに対して第１制御信号を生成し、前記予め設定された時間内に前記第２種類のタッチジェスチャーがさらに認識された場合には、前記認識された第１種類のタッチジェスチャーに対して第１制御信号を生成する、コンピュータ装置を提供する。
【００１３】
コンピュータ装置であって、前記コンピュータ装置で読み取り可能な命令を実行するように実現される少なくとも１つのプロセッサを含み、前記少なくとも１つのプロセッサにより、第１イヤーセットおよび第２イヤーセットにオーディオ信号を送信し、前記第１イヤーセットおよび前記第２イヤーセットそれぞれに含まれる接近センサの出力値に基づいて前記第１イヤーセットおよび前記第２イヤーセットの両方が利用者の耳から外されているかどうかを決定し、前記第１イヤーセットおよび前記第２イヤーセットの両方が利用者の耳から外されていると決定された場合、前記オーディオ信号の送信を停止する、コンピュータ装置を提供する。
【００１４】
コンピュータ装置であって、前記コンピュータ装置で読み取り可能な命令を実行するように実現される少なくとも１つのプロセッサを含み、前記少なくとも１つのプロセッサにより、第１イヤーセットおよび第２イヤーセットの基本設定値を記録し、前記第１イヤーセットおよび前記第２イヤーセットの現在設定値を記録し、前記第１イヤーセットおよび前記第２イヤーセットそれぞれのタッチ領域に対するタッチジェスチャーを認識し、前記第１イヤーセットおよび前記第２イヤーセットそれぞれに対して予め設定されたタッチジェスチャーが予め設定された時間範囲内に連続して認識された場合、前記第１イヤーセットおよび前記第２イヤーセットの現在設定値を前記基本設定値に基づいて変更する、コンピュータ装置を提供する。
【発明の効果】
【００１５】
イヤーセットに含まれる限られた入力インタフェース（一例として、イヤーセットに含まれるタッチセンサのタッチインタフェース）によって多様な機能をより簡単に制御することができる。例えば、同じタッチジェスチャーに対しても、これに続くタッチジェスチャーに応じて音源制御およびボリューム制御の互いに異なる制御が可能となる。
【００１６】
ユーザのイヤーセット着用状況に応じてオーディオ信号の送信を制御することができる。例えば、ユーザの耳から両方のイヤーセットが外されている場合、自動で音源の再生を停止したり、電話通話のためのオーディオ信号の送信を停止したりすることが可能となる。
【００１７】
イヤーセットの設定値を速やかに基本設定値に戻すことができる。例えば、オーディオのボリュームを操作する状況において、オーディオのボリュームが急激に大きくなったり、反対にオーディオのボリュームが急激に小さくなったりする場合、ユーザの簡単なタッチ操作によってオーディオボリュームを速やかに基本レベルに戻すことが可能となる。
【図面の簡単な説明】
【００１８】
【図１】本発明の一実施形態における、コンピュータ装置の例を示したブロック図である。
【図２】本発明の一実施形態における、イヤーセットペアと電子機器の通信例を示した図である。
【図３】本発明の一実施形態における、イヤーセットペアと電子機器の他の通信例を示した図である。
【図４】本発明の一実施形態における、イヤーセット制御方法の一例を示したフローチャートである。
【図５】本発明の一実施形態における、イヤーセット制御方法の一例を示したフローチャートである。
【図６】本発明の一実施形態における、イヤーセット制御方法の他の例を示したフローチャートである。
【図７】本発明の一実施形態における、イヤーセットによるイヤーセット制御方法の例を示したフローチャートである。
【図８】本発明の他の実施形態における、イヤーセット制御方法の例を示したフローチャートである。
【図９】本発明のさらに他の実施形態における、イヤーセット制御方法の例を示したフローチャートである。
【発明を実施するための形態】
【００１９】
以下、実施形態について、添付の図面を参照しながら詳しく説明する。
【００２０】
本発明の実施形態に係るイヤーセット制御方法は、以下で説明されるコンピュータ装置によって実現されてよい。このとき、コンピュータ装置においては、本発明の一実施形態に係るコンピュータプログラムがインストールされて実行されてよく、コンピュータ装置は、実行されるコンピュータプログラムの制御に従って本発明の実施形態に係るイヤーセット制御方法を実行してよい。上述したコンピュータプログラムは、コンピュータ装置と結合してイヤーセット制御方法をコンピュータに実行させるためにコンピュータ読み取り可能な記録媒体に記録されてよい。
【００２１】
図１は、本発明の一実施形態における、コンピュータ装置の例を示したブロック図である。以下で説明される電子機器および／またはイヤーセットペアは、図１に示されたコンピュータ装置１００によって実現されてよく、一実施形態に係るイヤーセット制御方法は、上述したように、図１に示されたコンピュータ装置１００によって実現される電子機器および／またはイヤーセットペアによって実行されてよい。
【００２２】
このようなコンピュータ装置１００は、図１に示すように、メモリ１１０、プロセッサ１２０、通信インタフェース１３０、および入力／出力インタフェース１４０を含んでよい。メモリ１１０は、コンピュータ読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、およびディスクドライブのような永続的大容量記録装置を含んでよい。ここで、ＲＯＭやディスクドライブのような永続的大容量記録装置は、メモリ１１０とは区分される別の永続的記録装置としてコンピュータ装置１００に含まれてもよい。また、メモリ１１０には、オペレーティングシステムと、少なくとも１つのプログラムコードが記録されてよい。このようなソフトウェア構成要素は、メモリ１１０とは別のコンピュータ読み取り可能な記録媒体からメモリ１１０にロードされてよい。このような別のコンピュータ読み取り可能な記録媒体は、フロッピー（登録商標）ドライブ、ディスク、テープ、ＤＶＤ／ＣＤ−ＲＯＭドライブ、メモリカードなどのコンピュータ読み取り可能な記録媒体を含んでよい。他の実施形態において、ソフトウェア構成要素は、コンピュータ読み取り可能な記録媒体ではない通信インタフェース１３０を通じてメモリ１１０にロードされてもよい。例えば、ソフトウェア構成要素は、ネットワーク１６０を介して受信されたファイルによってインストールされるコンピュータプログラムに基づいて、コンピュータ装置１００のメモリ１１０にロードされてよい。
【００２３】
プロセッサ１２０は、基本的な算術、ロジック、および入出力演算を実行することにより、コンピュータプログラムの命令を処理するように構成されてよい。命令は、メモリ１１０または通信インタフェース１３０によって、プロセッサ１２０に提供されてよい。例えば、プロセッサ１２０は、メモリ１１０のような記録装置に記録されたプログラムコードに従って受信される命令を実行するように構成されてよい。
【００２４】
通信インタフェース１３０は、ネットワーク１６０を介してコンピュータ装置１００が他の電子機器（一例として、上述した記録装置）と互いに通信するための機能を提供してよい。一例として、コンピュータ装置１００のプロセッサ１２０がメモリ１１０のような記録装置に記録されたプログラムコードに従って生成した要求や命令、データ、ファイルなどが、通信インタフェース１３０の制御に従ってネットワーク１６０を介して他の装置に伝達されてよい。これとは逆に、他の装置からの信号や命令、データ、ファイルなどが、ネットワーク１６０を介してコンピュータ装置１００の通信インタフェース１３０を通じてコンピュータ装置１００に受信されてよい。通信インタフェース１３０を通じて受信された信号や命令、データなどは、プロセッサ１２０やメモリ１１０に伝達されてよく、ファイルなどは、コンピュータ装置１００がさらに含むことのできる記録媒体（上述した永続的記録装置）に記録されてよい。
【００２５】
入力／出力インタフェース１４０は、入力／出力装置１５０とのインタフェースのための手段であってよい。例えば、入力装置は、マイク、キーボード、またはマウスなどの装置を含んでよく、出力装置は、ディスプレイ、スピーカなどのような装置を含んでよい。他の例として、入力／出力インタフェース１４０は、タッチスクリーンのように入力と出力のための機能が１つに統合された装置とのインタフェースのための手段であってもよい。入力／出力装置１５０は、コンピュータ装置１００と１つの装置で構成されてもよい。
【００２６】
また、他の実施形態において、コンピュータ装置１００は、図１の構成要素よりも少ないか多くの構成要素を含んでもよい。しかし、大部分の従来技術的構成要素を明確に図に示す必要はない。例えば、コンピュータ装置１００は、上述した入力／出力装置１５０のうちの少なくとも一部を含むように実現されてもよいし、トランシーバやＧＰＳ（Ｇｌｏｂａｌ  Ｐｏｓｉｔｉｏｎｉｎｇ  Ｓｙｓｔｅｍ）などのような他の構成要素をさらに含んでもよい。
【００２７】
通信方式が限定されることはなく、ネットワーク１６０が含むことのできる通信網（一例として、移動通信網、有線インターネット、無線インターネット、放送網）を利用する通信方式だけでなく、ブルートゥース（Ｂｌｕｅｔｏｏｔｈ）（登録商標）やＮＦＣ（Ｎｅａｒ  Ｆｉｅｌｄ  Ｃｏｍｍｕｎｉｃａｔｉｏｎ）のような近距離無線通信が含まれてもよい。例えば、ネットワーク１６０は、ＰＡＮ（ｐｅｒｓｏｎａｌ  ａｒｅａ  ｎｅｔｗｏｒｋ）、ＬＡＮ（ｌｏｃａｌ  ａｒｅａ  ｎｅｔｗｏｒｋ）、ＣＡＮ（ｃａｍｐｕｓ  ａｒｅａ  ｎｅｔｗｏｒｋ）、ＭＡＮ（ｍｅｔｒｏｐｏｌｉｔａｎ  ａｒｅａ  ｎｅｔｗｏｒｋ）、ＷＡＮ（ｗｉｄｅ  ａｒｅａ  ｎｅｔｗｏｒｋ）、ＢＢＮ（ｂｒｏａｄｂａｎｄ  ｎｅｔｗｏｒｋ）、インターネットなどのネットワークのうちの１つ以上の任意のネットワークを含んでよい。さらに、ネットワーク１６０は、バスネットワーク、スターネットワーク、リングネットワーク、メッシュネットワーク、スター−バスネットワーク、ツリーまたは階層的ネットワークなどを含むネットワークトポロジのうちの任意の１つ以上を含んでもよいが、これらに限定されることはない。
【００２８】
一方、実施形態によって、イヤーセットペアのうちの少なくとも１つの場合には、図１とは異なる構成要素を含んでもよい。例えば、以下で図４を参照しながら説明するが、イヤーセット機器４００は、図４の構成要素４１０〜４７０を含むように実現されてもよい。
【００２９】
図２は、本発明の一実施形態における、イヤーセットペアと電子機器の通信例を示した図である。一般的に、スマートフォンは、ブルートゥース（Ｂｌｕｅｔｏｏｔｈ）（登録商標）、ジグビー（Ｚｉｇｂｅｅ）（登録商標）、Ｗｉ−Ｆｉなどのような近距離無線通信プロトコルを利用してイヤーセットや無線スピーカのような周辺機器と通信する。図２の実施形態でも、電子機器２１０がこのような近距離無線通信プロトコルを利用してイヤーセットペアと通信する例について説明している。ただし、電子機器２１０は、１つの近距離無線通信プロトコル（一例として、ブルートゥース４．１）の利用によって一度に１つの機器（図２の実施形態では、第１イヤーセット機器２２０）としか通信できない場合がある。言い換えれば、電子機器２１０が、１つの近距離無線通信プロトコルによって２つ以上の機器とは同時に通信できない場合が考えられる。本実施形態において、電子機器２１０は、１つの近距離無線通信プロトコルを利用して１つの機器である第１イヤーセット機器２２０と通信してよく、第２イヤーセット機器２３０とは第１イヤーセット機器２２０との中継によって通信してよい。このため、第１イヤーセット機器２２０と第２イヤーセット機器２３０は、互いに近距離無線通信を行ってよい。例えば、第２イヤーセット機器２３０は、第２イヤーセット機器２３０に含まれるマイクに入力された音声を、第１イヤーセット機器２２０を経て電子機器２１０に送信してよい。これとは逆に、電子機器２１０から送信された制御信号は、第１イヤーセット機器２２０を経て第２イヤーセット機器２３０に送信されてよい。このような音声の中継通信のために、一例として、ＴＷＳ（Ｔｒｕｅ  Ｗｉｒｅｌｅｓｓ  Ｓｔｅｒｅｏ）方式が利用されてよい。
【００３０】
図３は本発明の一実施形態における、イヤーセットペアと電子機器の他の通信例を示した図である。図２の実施形態とは異なり、電子機器２１０は、１つの近距離無線通信プロトコルを利用して第１イヤーセット機器２２０と第２イヤーセット機器２３０の両方を同時に通信することもある。例えば、ブルートゥース５．０のような近距離無線通信プロトコルは、スマートフォンが同時に２つの機器とブルートゥース接続および通信することができる技術を提供する。図３の実施形態は、このように同時に複数の機器と通信可能な近距離無線通信プロトコルを活用して第１イヤーセット機器２２０と第２イヤーセット機器２３０の両方と同時に通信してもよい。
【００３１】
図４は、本発明の一実施形態における、イヤーセット機器の内部構成の例を示したブロック図である。本実施形態に係るイヤーセット機器４００は、上述した図２および図３を参照しながら説明した第１イヤーセット機器２２０および／または第２イヤーセット機器２３０に対応してよい。このようなイヤーセット機器４００は、制御部４１０、スピーカ４２０、マイク４３０、タッチセンサ４４０、接近センサ４５０、ＬＥＤ４６０、および通信部４７０を備えてよい。実施形態によって、イヤーセット機器４００は、図４を参照しながら説明する構成要素４１０〜４７０のうちの少なくとも１つを含まなくてもよいし（一例として、ＬＥＤ４６０）、他の構成要素（一例として、加速度センサや重力センサなど）をさらに含んでもよい。
【００３２】
制御部４１０は、スピーカ４２０、マイク４３０、タッチセンサ４４０、接近センサ４５０、ＬＥＤ４６０、および通信部４７０を制御するための電子回路および／またはチップセット（ｃｈｉｐ  ｓｅｔ）の形態で実現されてよい。
【００３３】
スピーカ４２０は、オーディオ信号を出力するための構成要素であってよい。例えば、電子機器２１０が送信するオーディオ信号が、イヤーセット機器４００のスピーカ４２０から出力されてよい。
【００３４】
マイク４３０は、周辺のオーディオ信号の入力を受けるための構成要素であってよい。例えば、ユーザの音声命令がマイク４３０に入力され、通信部４７０を経て電子機器２１０に送信されてよい。
【００３５】
タッチセンサ４４０は、ユーザのタッチ命令の入力を受け取るための構成要素であってよい。例えば、タッチセンサ４４０のためにイヤーセット機器４００の外部に提供されるタッチ領域で認識される多様なタッチジェスチャーに従って、イヤーセット機器４００の制御と音源再生、音源停止、アシスタント（ａｓｓｉｓｔａｎｔ）の呼び出し、翻訳機能の呼び出し、ボリューム制御などのような多様な制御が処理されてよい。例えば、多様なタッチジェスチャーは、タップ（ｔａｐ）、ホールド（ｈｏｌｄ）、ベリーロング（ｖｅｒｙ  ｌｏｎｇ）などに分類されるタッチジェスチャーとこれらの組み合わせによって構成されてよい。このようなタッチジェスチャーは、一例として、タッチ時間に応じて分類されてよい。より具体的な例として、タップタッチジェスチャーは、タッチ領域にタッチが発生してから１秒未満の時間内にタッチが解除された場合に認識されてよい。ホールドタッチジェスチャーは、タッチ領域にタッチが発生してから一定の時間（例えば、３秒）未満の時間内にタッチが解除された場合に認識されてよい。ベリーロングタッチジェスチャーは、タッチが一定の時間（例えば、５秒）以上維持される場合に認識されてよい。
【００３６】
接近センサ４５０は、イヤーセット機器４００がユーザの耳に着用されているかどうかを感知するための構成要素であってよい。例えば、接近センサ４５０を、イヤーセット機器４００のボディーとユーザの耳に挿入される部分との間に配置することにより、イヤーセット機器４００がユーザの耳に着用されているかどうかを効果的に感知してよい。
【００３７】
ＬＥＤ（Ｌｉｇｈｔ  Ｅｍｉｔｔｉｎｇ  Ｄｉｏｄｅ）４６０は、イヤーセット機器４００に関する多様な通知を提供するための構成要素であってよい。例えば、イヤーセット機器４００は、ＬＥＤ４６０から出力する光のカラーや出力時間、周期などに基づいて多様な通知をユーザに提供してよい。
【００３８】
通信部４７０は、上述したように、電子機器２１０や他のイヤーセット機器（一例として、第２イヤーセット機器２３０）との通信のための構成要素であってよい。
【００３９】
図５は、本発明の一実施形態における、イヤーセット制御方法の一例を示したフローチャートである。本実施形態に係るイヤーセット制御方法は、一例として、上述した電子機器２１０を実現するコンピュータ装置１００によって実行されてよい。例えば、コンピュータ装置１００のプロセッサ１２０は、メモリ１１０に含まれるオペレーティングシステムのコードと少なくとも１つのプログラムのコードとによる制御命令（ｉｎｓｔｒｕｃｔｉｏｎ）を実行するように実現されてよい。ここで、プロセッサ１２０は、コンピュータ装置１００に記録されたコードが提供する制御命令に従ってコンピュータ装置１００が図５の方法に含まれる段階５１０〜段階５４０を実行するようにコンピュータ装置１００を制御してよい。ここで、上述した少なくとも１つのプログラムは、イヤーセットの制御のためにコンピュータ装置１００にインストール（ｉｎｓｔａｌｌ）されたアプリケーションであってよい。
【００４０】
段階５１０において、コンピュータ装置１００は、イヤーセットペアのうち第１イヤーセットのタッチ領域に対するタッチジェスチャーを認識してよい。一例として、イヤーセットペアは、図２および図３を参照しながら説明した第１イヤーセット機器２２０および第２イヤーセット機器２３０に対応してよく、第１イヤーセットは、一例として、第１イヤーセット機器２２０に対応してよい。タッチジェスチャーの認識は、上述したように、第１イヤーセットに含まれるタッチセンサを利用して処理されてよい。例えば、第１イヤーセットのタッチセンサによって認識されたセンシング値は、コンピュータ装置１００に送信されてよく、コンピュータ装置１００は、送信されたセンシング値に基づいて第１イヤーセットのタッチ領域に対するタッチジェスチャーを認識してよい。実施形態によっては、第１イヤーセットが、タッチセンサにより認識されたセンシング値に基づいてタッチジェスチャーを認識し、認識されたタッチジェスチャーの種類に関する情報をコンピュータ装置１００に送信することも考えられる。このようなタッチジェスチャーの認識は、以下で説明する他の実施形態でも同一または類似するように適用されてよい。
【００４１】
段階５２０において、コンピュータ装置１００は、第１種類のタッチジェスチャーの認識に応答し、予め設定された時間内に第２種類のタッチジェスチャーがさらに認識されるかどうかを確認してよい。このとき、予め設定された時間内に第２種類のタッチジェスチャーが認識されなかった場合には段階５３０が、予め設定された時間内に第２種類のタッチジェスチャーが認識された場合には段階５４０がそれぞれ実行されてよい。例えば、第１種類のタッチジェスチャーは上述したタップタッチジェスチャーであってよく、第２種類のタッチジェスチャーはホールドタッチジェスチャーであってよいが、これに限定されることはない。
【００４２】
段階５３０において、コンピュータ装置１００は、認識された第１種類のタッチジェスチャーに対して第１制御信号を生成してよい。一例として、第１制御信号は、音源制御に関連する第１音源制御信号を含んでよい。
【００４３】
段階５４０において、コンピュータ装置１００は、認識された第１種類のタッチジェスチャーに対して第２制御信号を生成してよい。一例として、第２制御信号は、オーディオボリューム制御に関連する第１ボリューム制御信号を含んでよい。
【００４４】
例えば、コンピュータ装置１００は、タップタッチジェスチャーだけが認識された場合、タップタッチジェスチャーの認識に対する応答として第１音源制御信号（一例として、音楽の再生開始のための制御信号）を生成してよい。タップタッチジェスチャーが入力されてから一定の時間以内にホールドタッチジェスチャーが入力された場合には、タップタッチジェスチャーの認識に対する応答として第１ボリューム制御信号（一例として、オーディオボリュームのレベルを１だけ増加させるための制御信号）を生成してよい。この場合、同じタップタッチジェスチャーが、追加でホールドタッチジェスチャーが入力されるかどうかに応じて、音楽の再生開始およびボリュームの増加のような互いに異なる制御信号のうちの１つを生成するのに利用されてよい。この場合、タッチジェスチャーの種類は、タッチ領域で連続して認識されるタッチの時間に基づいて区分されてよい。タップタッチジェスチャーは、タッチ領域にタッチが発生してから１秒未満の時間内にタッチが解除された場合に認識され、ホールドタッチジェスチャーは、タッチ領域にタッチが発生してから３秒未満の時間内にタッチが解除された場合に認識され、ベリーロングタッチジェスチャーは、タッチが５秒以上維持される場合に認識されることは、該当の実施形態で説明したとおりである。
【００４５】
このとき、コンピュータ装置１００は、段階５４０において、さらに認識された第２種類のタッチジェスチャーに対して第２ボリューム制御信号をさらに生成してもよい。例えば、第１ボリューム制御信号は、オーディオボリュームレベルを現在のレベルから１レベルだけ増加または減少させるための信号を含んでよく、第２ボリューム制御信号は、オーディオボリュームレベルを、現在のレベルから第２種類のタッチジェスチャーによって認識されるタッチ時間に応じて漸進的に増加または減少させるための信号を含んでよい。より具体的な例として、タップタッチジェスチャーが認識されてから予め設定された時間内にホールドタッチジェスチャーが認識された場合、オーディオボリュームレベルを現在のレベルから１レベルだけ増加または減少させてよく、ホールドタッチジェスチャーが維持されることによりタッチが認識される時間に応じて、オーディオボリュームレベルを漸進的に増加（一例として、２００ｍｓあたり１レベルずつ増加）または減少させてよい。
【００４６】
一方、２つのイヤーセットのペアの互いに異なるイヤーセットは、同じタッチジェスチャーであっても互いに異なるイヤーセット制御を行うように実現されてよい。例えば、左側イヤーセットに対するタップタッチジェスチャーは、音源（一例として、音楽）の再生開始を制御するために利用され、右側イヤーセットに対する同じタップタッチジェスチャーは、音源の再生終了を制御するために利用されてよい。他の例として、左側イヤーセットに対するタップタッチジェスチャーおよびホールドタッチジェスチャーは、オーディオボリュームの減少を制御するために利用され、右側イヤーセットに対するタップタッチジェスチャーおよびホールドタッチジェスチャーは、オーディオボリュームの増加を制御するために利用されてよい。また他の例として、右側イヤーセットに対するホールドタッチジェスチャーは、音声認識のためのアシスタントの呼び出しを制御するために利用され、音声認識中に認識される左側イヤーセットに対するホールドタッチジェスチャーは、音声認識の終了を制御するために利用されてよい。さらに他の例として、左側イヤーセットに対するホールドタッチジェスチャーは、翻訳機能の呼び出しを制御するために利用され、翻訳機能の提供中に認識される右側イヤーセットに対するホールドタッチジェスチャーは、提供中の翻訳機能の終了を制御するために利用されてよい。
【００４７】
電子機器２１０で電話呼値を受信中の場合、左側イヤーセットまたは右側イヤーセットに対するタップタッチジェスチャーは、受信中の電話呼に対する通話接続の制御のために利用されてもよく、ホールドタッチジェスチャーは、受信中の電話呼に対する通話拒絶の制御のために利用されてもよい。また、電子機器２１０で通話接続中の場合、左側イヤーセットまたは右側イヤーセットに対する連続する２度のタップタッチジェスチャーは、接続中の通話終了の制御のために利用されてもよい。また他の例として、音源再生中の場合、左側イヤーセットまたは右側イヤーセットに対する連続する２度または３度のタップタッチジェスチャーは、再生する音源変更の制御のために利用されてもよい。
【００４８】
さらに他の実施形態として、電子機器２１０で音源再生中の場合、左側イヤーセットまたは右側イヤーセットで認識されるベリーロングタッチジェスチャーは、音源と共に外部音を聞くための制御に利用されてよい。例えば、外部音を聞くということは、上述したマイク４３０に入力される周辺音をスピーカ４２０から再生中の音源のオーディオと共に出力する機能であってよい。
【００４９】
図６は、本発明の一実施形態における、イヤーセット制御方法の他の例を示したフローチャートである。図６の方法に含まれる段階６１０〜段階６４０は、コンピュータ装置１００によって図５の段階５１０〜段階５４０と並列に実行されてよい。
【００５０】
段階６１０において、コンピュータ装置１００は、イヤーセットペアのうち第２イヤーセットのタッチ領域に対するタッチジェスチャーを認識してよい。図５の段階５１０では、コンピュータ装置１００が第１イヤーセットのタッチ領域に対するタッチジェスチャーを認識するが、コンピュータ装置１００は、このような動作と並列に、第２イヤーセットのタッチ領域に対するタッチジェスチャーも認識してよい。
【００５１】
段階６２０において、コンピュータ装置１００は、第２イヤーセットのタッチ領域に対して第１種類のタッチジェスチャーの認識に応答し、予め設定された時間内に第２種類のタッチジェスチャーが第２イヤーセットのタッチ領域に対してさらに認識されるかどうかを確認してよい。図５を参照しながら上述したように、コンピュータ装置１００は、第１イヤーセットだけでなく、第２イヤーセットで認識されるタッチジェスチャーをさらに活用してよい。例えば、第１種類のタッチジェスチャーはタップタッチジェスチャーであってよく、第２種類のタッチジェスチャーはホールドタッチジェスチャーであってよいが、これに限定されることはない。
【００５２】
段階６３０において、コンピュータ装置１００は、第２イヤーセットのタッチ領域に対して認識された第１種類のタッチジェスチャーに対し、第３制御信号を生成してよい。一例として、第３制御信号は、音源制御に関連する第２音源制御信号を含んでよい。
【００５３】
段階６４０において、コンピュータ装置１００は、第２イヤーセットのタッチ領域に対して認識された第１種類のタッチジェスチャーに対し、第４制御信号を生成してよい。一例として、第４制御信号は、オーディオボリューム制御に関連する第３ボリューム制御信号を含んでよい。
【００５４】
図５の説明と同じように、コンピュータ装置１００は、第２イヤーセットのタッチ領域でタップタッチジェスチャーだけが認識された場合、タップタッチジェスチャーの認識に対する応答として第２音源制御信号（一例として、音楽の再生終了のための制御信号）を生成してよい。タップタッチジェスチャーが認識されてから一定の時間以内にホールドタッチジェスチャーが認識された場合には、タップタッチジェスチャーの認識に対する応答として第３ボリューム制御信号（一例として、オーディオボリュームのレベルを１だけ減少させるための制御信号）を生成してよい。この場合、同じタップタッチジェスチャーが、追加でホールドタッチジェスチャーが認識されるかに応じて音楽の再生終了およびボリュームの減少のような互いに異なる制御信号のうちの１つを生成するのに利用されてよい。上述したように、タッチジェスチャーの種類は、タッチ領域で連続して認識されるタッチの時間に基づいて区分されてよい。タップタッチジェスチャーは、タッチ領域にタッチが発生してから１秒未満の時間内にタッチが解除された場合に認識されてよく、ホールドタッチジェスチャーは、タッチ領域にタッチが発生してから３秒未満の時間内にタッチが解除された場合に認識されてよく、ベリーロングタッチジェスチャーは、タッチが５秒以上維持される場合に認識されてよいことは、該当の実施形態で説明したとおりである。
【００５５】
このとき、コンピュータ装置１００は、段階６４０において、さらに認識された第２種類のタッチジェスチャーに対して第４ボリューム制御信号をさらに生成してもよい。例えば、図５を参照しながら説明した第１ボリューム制御信号は、オーディオボリュームレベルを現在のレベルから１レベルだけ増加させるための信号を含んでよく、第２ボリューム制御信号は、オーディオボリュームレベルを、現在のレベルから第２種類のタッチジェスチャーによって認識されるタッチ時間に応じて漸進的に増加させるための信号を含んでよい。これとは逆に、図６を参照しながら説明した第３ボリューム制御信号は、オーディオボリュームレベルを現在のレベルから１レベルだけ減少させるための信号を含んでよく、第４ボリューム制御信号は、オーディオボリュームレベルを、現在のレベルから第２種類のタッチジェスチャーによって認識されるタッチ時間に応じて漸進的に減少させるための信号を含んでよい。より具体的な例として、第２イヤーセットでタップタッチジェスチャーが認識されてから予め設定された時間内にホールドタッチジェスチャーが認識された場合、オーディオボリュームレベルを現在のレベルから１レベルだけ減少させてよく、ホールドタッチジェスチャーの維持によってタッチが認識される時間に応じて、オーディオボリュームレベルを漸進的に減少（一例として、２００ｍｓあたり１レベルずつ減少）させてよい。
【００５６】
上述したように、２つのイヤーセットのペアの互いに異なるイヤーセットは、同じタッチジェスチャーであっても互いに異なるイヤーセット制御を行うように実現されてよい。例えば、左側イヤーセットに対するタップタッチジェスチャーは、音源（一例として、音楽）の再生開始を制御するために利用され、右側イヤーセットに対する同じタップタッチジェスチャーは、音源の再生終了を制御するために利用されてよい。他の例として、左側イヤーセットに対するタップタッチジェスチャーおよびホールドタッチジェスチャーは、オーディオボリュームの減少を制御するために利用され、右側イヤーセットに対するタップタッチジェスチャーおよびホールドタッチジェスチャーは、オーディオボリュームの増加を制御するために利用されてよい。また他の例として、右側イヤーセットに対するホールドタッチジェスチャーは、音声認識のためのアシスタントの呼び出しを制御するために利用され、音声認識中に認識される左側イヤーセットに対するホールドタッチジェスチャーは、音声認識の終了を制御するために利用されてよい。さらに他の例として、左側イヤーセットに対するホールドタッチジェスチャーは、翻訳機能の呼び出しを制御するために利用され、翻訳機能の提供中に認識された右側イヤーセットに対するホールドタッチジェスチャーは、提供中の翻訳機能の終了を制御するために利用されてよい。
【００５７】
図７は、本発明の一実施形態における、イヤーセットのイヤーセット制御方法の例を示したフローチャートである。本実施形態に係るイヤーセット制御方法は、一例として、上述したイヤーセット機器４００によって実行されてよい。例えば、イヤーセット機器４００の制御部４１０は、制御部４１０を構成する電子回路および／または制御部４１０に含まれるチップセットに埋め込まれた（ｅｍｂｅｄ）プログラムの制御に従って、図７の方法に含まれる段階７１０〜段階７４０を実行するようにイヤーセット機器４００を制御してよい。
【００５８】
段階７１０において、イヤーセット機器４００は、イヤーセット機器４００に含まれるタッチ領域に対するタッチジェスチャーを認識してよい。例えば、イヤーセット機器４００は、イヤーセット機器４００に含まれるタッチセンサ４４０によってタッチ領域に対するタッチジェスチャーを認識してよい。
【００５９】
段階７２０において、イヤーセット機器４００は、第１種類のタッチジェスチャーの認識に応答し、予め設定された時間内に第２種類のタッチジェスチャーがさらに認識されるかどうかを確認してよい。このとき、予め設定された時間内に第２種類のタッチジェスチャーが認識されなかった場合には段階７３０が、予め設定された時間内に第２種類のタッチジェスチャーが認識された場合には段階７４０が、それぞれ実行されてよい。例えば、第１種類のタッチジェスチャーは上述したタップタッチジェスチャーであってよく、第２種類のタッチジェスチャーはホールドタッチジェスチャーであってよいが、これに限定されることはない。
【００６０】
段階７３０において、イヤーセット機器４００は、認識された第１種類のタッチジェスチャーに対して第１制御信号を生成してよい。一例として、第１制御信号は、音源制御に関連する第１音源制御信号を含んでよい。図５の実施形態では、第１制御信号がスマートフォンのような電子機器２１０を実現するコンピュータ装置１００によって生成されたが、図７の実施形態では、第１制御信号がイヤーセット機器４００によって生成されてよく、イヤーセット機器４００に含まれる通信部４７０を介して電子機器２１０に送信されてよい。例えば、電子機器２１０は、イヤーセット機器４００から送信される第１音源制御信号に従って現在再生中の音源を制御してよい。
【００６１】
段階７４０において、イヤーセット機器４００は、認識された第１種類のタッチジェスチャーに対して第２制御信号を生成してよい。一例として、第２制御信号は、オーディオボリューム制御に関連する第１ボリューム制御信号を含んでよい。図５の実施形態では、第２制御信号がスマートフォンのような電子機器２１０を実現するコンピュータ装置１００によって生成されたが、図７の実施形態では、第２制御信号がイヤーセット機器４００によって生成されてよく、イヤーセット機器４００に含まれる通信部４７０を介して電子機器２１０に送信されてよい。例えば、電子機器２１０は、イヤーセット機器４００から送信される第１ボリューム制御信号に従って、イヤーセット機器４００で現在提供されているオーディオのボリュームを制御してよい。他の実施形態として、イヤーセット機器４００が、生成された第１ボリューム制御信号に従ってイヤーセット機器４００自体のオーディオボリュームを制御することが考えられてもよい。
【００６２】
イヤーセット機器４００は、タップタッチジェスチャーだけが認識された場合、タップタッチジェスチャーの認識に対する応答として第１音源制御信号（一例として、音楽の再生開始のための制御信号）を生成してよい。タップタッチジェスチャーが入力されてから一定の時間以内にホールドタッチジェスチャーが入力された場合には、タップタッチジェスチャーの認識に対する応答として第１ボリューム制御信号（一例として、オーディオボリュームのレベルを１だけ増加させるための制御信号）を生成してよい。この場合、同じタップタッチジェスチャーが、追加でホールドタッチジェスチャーが入力されるかに応じて音楽の再生開始およびボリュームの増加のような互いに異なる制御信号のうちの１つを生成するのに利用されてよい。この場合、タッチジェスチャーの種類は、タッチ領域で連続して認識されるタッチの時間に基づいて区分されてよい。タップタッチジェスチャーは、タッチ領域にタッチが発生してから１秒未満の時間内にタッチが解除された場合に認識され、ホールドタッチジェスチャーは、タッチ領域にタッチが発生してから３秒未満の時間内にタッチが解除された場合に認識され、ベリーロングタッチジェスチャーは、タッチが５秒以上維持される場合に認識されることは、該当の実施形態で説明したとおりである。
【００６３】
このとき、イヤーセット機器４００は、段階７４０において、さらに認識された第２種類のタッチジェスチャーに対して第２ボリューム制御信号をさらに生成してもよい。例えば、第１ボリューム制御信号は、オーディオボリュームレベルを現在のレベルから１レベルだけ増加または減少させるための信号を含んでよく、第２ボリューム制御信号は、オーディオボリュームレベルを、現在のレベルから第２種類のタッチジェスチャーによって認識されるタッチ時間に応じて漸進的に増加または減少させるための信号を含んでよい。より具体的な例として、タップタッチジェスチャーが認識されてから予め設定された時間内にホールドタッチジェスチャーが認識された場合、オーディオボリュームレベルが現在のレベルから１レベルだけ増加または減少されてよく、ホールドタッチジェスチャーの維持によってタッチが認識される時間に応じて、オーディオボリュームレベルを漸進的に増加（一例として、２００ｍｓあたり１レベルずつ増加）または減少させてよい。
【００６４】
一方、２つのイヤーセットのペアの互いに異なるイヤーセットは、同じタッチジェスチャーであっても互いに異なるイヤーセット制御を行うように実現されてよい。例えば、左側イヤーセットに対するタップタッチジェスチャーは、音源（一例として、音楽）の再生開始を制御するために利用され、右側イヤーセットに対する同じタップタッチジェスチャーは、音源の再生終了を制御するために利用されてよい。他の例として、左側イヤーセットに対するタップタッチジェスチャーおよびホールドタッチジェスチャーは、オーディオボリュームの減少を制御するために利用され、右側イヤーセットに対するタップタッチジェスチャーおよびホールドタッチジェスチャーは、オーディオボリュームの増加を制御するために利用されてよい。また他の例として、右側イヤーセットに対するホールドタッチジェスチャーは、音声認識のためのアシスタントの呼び出しを制御するために利用され、音声認識中に認識される左側イヤーセットに対するホールドタッチジェスチャーは、音声認識の終了を制御するために利用されてよい。さらに他の例として、左側イヤーセットに対するホールドタッチジェスチャーは、翻訳機能の呼び出しを制御するために利用され、翻訳機能の提供中に認識された右側イヤーセットに対するホールドタッチジェスチャーは、提供中の翻訳機能の終了を制御するために利用されてよい。
【００６５】
電子機器２１０で電話呼値を受信中の場合、左側イヤーセットまたは右側イヤーセットに対するタップタッチジェスチャーが受信中の電話呼に対する通話接続の制御のために利用されてもよく、ホールドタッチジェスチャーが受信中の電話呼に対する通話拒絶の制御のために利用されてもよい。また、電子機器２１０で通話が接続中の場合、左側イヤーセットまたは右側イヤーセットに対する連続する２度のタップタッチジェスチャーが接続中の通話終了の制御のために利用されてもよい。また他の例として、音源が再生中の場合、左側イヤーセットまたは右側イヤーセットに対する連続する２度または３度のタップタッチジェスチャーが再生する音源変更の制御のために利用されてもよい。
【００６６】
さらに他の実施形態として、電子機器２１０で音源再生中の場合、左側イヤーセットまたは右側イヤーセットで認識されるベリーロングタッチジェスチャーは、音源と共に外部音を聞くための制御に利用されてよい。例えば、外部音を聞くということは、上述したマイク４３０に入力される周辺音をスピーカ４２０から再生中の音源のオーディオと共に出力する機能であってよい。
【００６７】
図７の実施形態は、イヤーセットペアのうち第１イヤーセットを考慮した場合について説明したものである。第２イヤーセットの場合には、第１イヤーセットの制御信号（第１、２制御信号）とは異なる制御信号（第３、４制御信号）を生成してよい。
【００６８】
図８は、本発明の他の実施形態における、イヤーセット制御方法の例を示したフローチャートである。本実施形態に係るイヤーセット制御方法は、一例として、上述した電子機器２１０を実現するコンピュータ装置１００によって実行されてよい。例えば、コンピュータ装置１００のプロセッサ１２０は、メモリ１１０に含まれるオペレーティングシステムのコードと少なくとも１つのプログラムのコードとによる制御命令（ｉｎｓｔｒｕｃｔｉｏｎ）を実行するように実現されてよい。ここで、プロセッサ１２０は、コンピュータ装置１００に記録されたコードが提供する制御命令に従ってコンピュータ装置１００が図８の方法に含まれる段階８１０〜段階８５０を実行するようにコンピュータ装置１００を制御してよい。ここで、上述した少なくとも１つのプログラムは、イヤーセットの制御のためにコンピュータ装置１００にインストール（ｉｎｓｔａｌｌ）されたアプリケーションであってよい。
【００６９】
段階８１０において、コンピュータ装置１００は、第１イヤーセットおよび第２イヤーセットにオーディオ信号を送信してよい。ここで、第１イヤーセットおよび第２イヤーセットは、上述した第１イヤーセット機器２２０および第２イヤーセット機器２３０に対応してよい。オーディオ信号は、音源の再生によるオーディオ信号または電話通話の接続によるオーディオ信号を含んでよい。このとき、第１イヤーセットおよび第２イヤーセットの両方が、利用者の耳に着用されている状態であると仮定する。
【００７０】
段階８２０において、コンピュータ装置１００は、第１イヤーセットおよび第２イヤーセットそれぞれに含まれる接近センサの出力値に基づいて、第１イヤーセットおよび第２イヤーセットの両方が利用者の耳から外されているかどうかを決定してよい。ここで、近接センサは、図４を参照しながら説明した接近センサ４５０に対応してよい。上述したように、接近センサ４５０は、イヤーセット機器４００がユーザの耳に着用されているかどうかを感知するための構成要素であってよい。例えば、接近センサ４５０は、イヤーセット機器４００のボディーとユーザの耳に挿入される部分との間に配置されることにより、イヤーセット機器４００がユーザの耳に着用されているかどうかを効果的に感知してよい。このとき、第１イヤーセットおよび第２イヤーセットの両方が利用者の耳から外されている場合には段階８３０が実行されてよく、第１イヤーセットおよび第２イヤーセットの両方が利用者の耳から外されておらず結合している場合には段階８１０が繰り返し実行されてよい。
【００７１】
段階８３０において、コンピュータ装置１００は、オーディオ信号の送信を停止してよい。言い換えれば、第１イヤーセットおよび第２イヤーセットのうちのどちらか１つが利用者の耳から外されている場合は、利用者が外部の音を聞くため、または他人と会話するために、１つのイヤーセットをしばらく耳から外している場合である確率が高く、明示上な音源再生の停止や電話通話の停止を意味する場合でない確率が高い。この反面、利用者がイヤーセットの両方を耳から外している場合は、今はオーディオ信号を聞くことを望まないという明示上な意図の表れである可能性が高い。したがって、コンピュータ装置１００は、利用者の耳から第１イヤーセットおよび第２イヤーセットの両方が外されている場合には、オーディオ信号の送信を停止してよい。電話通話中にオーディオ信号の送信を停止するということは、イヤーセットを利用した電話通話からコンピュータ装置１００を利用した電話通話に切り換えることを意味してよい。また、音源再生中にオーディオ信号の送信を停止するということは、音源の再生を停止するか、またはコンピュータ装置１００を利用した音源の再生に切り換えることを意味してよい。
【００７２】
段階８４０において、コンピュータ装置１００は、第１イヤーセットおよび第２イヤーセットそれぞれに含まれる接近センサの出力値の変化に基づき、第１イヤーセットおよび第２イヤーセットのうちの少なくとも１つが利用者の耳と結合しているかどうかを決定してよい。第１イヤーセットおよび第２イヤーセットのうちの少なくとも１つが利用者の耳と結合している場合には段階８１０を実行し、停止中であったオーディオ信号の送信が再開されてよい。段階８４０において、第１イヤーセットおよび第２イヤーセットのうちの少なくとも１つが利用者の耳と結合していない場合、コンピュータ装置１００は段階８５０を実行してよい。
【００７３】
段階８５０において、コンピュータ装置１００は、予め設定された時間が経過したかどうかを決定してよい。ここで、予め設定された時間の経過とは、第１イヤーセットおよび第２イヤーセットの両方が利用者の耳から外された時点から予め設定された時間が経過したことを意味してよい。例えば、コンピュータ装置１００は、段階８２０において、第１イヤーセットおよび第２イヤーセットの両方が利用者の耳から外された時刻を記録しておいてよく、段階８５０において、現在時刻と記録しておいた時刻とを比較することによって、予め設定された時間が経過したかどうかを決定してよい。コンピュータ装置１００は、段階８５０において、予め設定された時間が経過した場合、言い換えれば、予め設定された時間以上に第１イヤーセットおよび／または第２イヤーセットが利用者の耳に結合されなかった場合、図８の方法を終了させてよい。また、コンピュータ装置１００は、予め設定された時間が経過していない場合には、段階８４０に戻って、第１イヤーセットおよび／または第２イヤーセットが利用者の耳と結合しているかどうかをモニタリングしてよい。
【００７４】
このように、第１イヤーセットおよび第２イヤーセットの両方が利用者の耳から外されてから第１イヤーセットおよび／または第２イヤーセットが利用者の耳に再び結合されるということは、ユーザがしばらく停止していたイヤーセットの使用を再開しようとする意図の表れである可能性が高い。したがって、コンピュータ装置１００は、第１イヤーセットおよび第２イヤーセットのうちの少なくとも１つが利用者の耳に結合された場合、停止中であったオーディオ信号の送信を再開し、イヤーセットを利用した音源の出力または電話通話の接続を続けてよい。また、第１イヤーセットおよび第２イヤーセットの両方が利用者の耳から外されてから予め設定された時間が経過するまで利用者の耳に第１イヤーセットおよび／または第２イヤーセットが結合されない場合には、音源の出力や電話通話の接続を終了してよい。
【００７５】
一実施形態として、段階８１０において、オーディオ信号を送信するということは、現在再生中の音源のオーディオ信号を送信することを意味してよい。この場合、段階８３０において、オーディオ信号の送信を停止するということは、現在再生中の音源の再生を停止してオーディオ信号の送信を停止することを意味してよい。実施形態によっては、段階８３０において、オーディオ信号の送信を停止するということは、イヤーセットを利用した音源の再生を、コンピュータ装置１００を利用した音源の再生に変換することを意味してもよい。
【００７６】
他の実施形態として、段階８１０において、オーディオ信号を送信するということは、現在接続中の電話呼によって伝達されるオーディオ信号を送信することを意味してよい。この場合、段階８３０において、オーディオ信号の送信を停止するということは、現在接続中の電話呼によって伝達されるオーディオ信号の送信を停止することを意味してよい。実施形態によって、段階８３０において、オーディオ信号の送信を停止するということは、電話通話を終了することを意味してもよい。
【００７７】
図９は、本発明のさらに他の実施形態に係るイヤーセット制御方法の例を示したフローチャートである。本実施形態に係るイヤーセット制御方法は、一例として、上述した電子機器２１０を実現するコンピュータ装置１００によって実行されてよい。例えば、コンピュータ装置１００のプロセッサ１２０は、メモリ１１０に含まれるオペレーティングシステムのコードと少なくとも１つのプログラムのコードとによる制御命令（ｉｎｓｔｒｕｃｔｉｏｎ）を実行するように実現されてよい。ここで、プロセッサ１２０は、コンピュータ装置１００に記録されたコードが提供する制御命令に従って、コンピュータ装置１００が図９の方法に含まれる段階９１０〜段階９４０を実行するようにコンピュータ装置１００を制御してよい。ここで、上述した少なくとも１つのプログラムは、イヤーセットの制御のためにコンピュータ装置１００にインストール（ｉｎｓｔａｌｌ）されたアプリケーションであってよい。
【００７８】
段階９１０において、コンピュータ装置１００は、第１イヤーセットおよび第２イヤーセットの基本設定値を記録してよい。ここで、第１イヤーセットおよび第２イヤーセットは、上述した第１イヤーセット機器２２０および第２イヤーセット機器２３０に対応してよい。基本設定値は、特に限定されるものではないが、一例として、オーディオボリュームに対する基本値を含んでよい。例えば、１から１５のレベルで表現されるオーディオボリュームに対する基本設定値が７に予め設定されてよく、コンピュータ装置１００は、予め設定された基本設定値として７を記録して管理してよい。
【００７９】
段階９２０において、コンピュータ装置１００は、第１イヤーセットおよび第２イヤーセットの現在設定値を記録してよい。例えば、現在設定値は、第１イヤーセットおよび第２イヤーセットのオーディオボリュームに対する現在値を含んでよい。現在設定値が１０である場合、第１イヤーセットおよび第２イヤーセットから出力されるオーディオ信号のオーディオボリュームは、１０に対応する大きさであってよい。
【００８０】
段階９３０において、コンピュータ装置１００は、第１イヤーセットおよび第２イヤーセットそれぞれのタッチ領域に対するタッチジェスチャーを認識してよい。タッチジェスチャーの認識は、上述したように、第１イヤーセットおよび第２イヤーセットそれぞれに含まれるタッチセンサを利用して処理されてよい。第１イヤーセットおよび第２イヤーセットそれぞれのタッチセンサによって認識されたセンシング値が、第１イヤーセットおよび第２イヤーセットそれぞれまたは第１イヤーセットおよび第２イヤーセットのうちの１つの中継によってコンピュータ装置１００に送信されてよく、コンピュータ装置１００は、送信されたセンシング値に基づいて第１イヤーセットおよび第２イヤーセットそれぞれのタッチ領域に対するタッチジェスチャーを認識してよい。
【００８１】
段階９４０において、コンピュータ装置１００は、第１イヤーセットおよび第２イヤーセットそれぞれに対して予め設定されたタッチジェスチャーが予め設定された時間範囲内に連続して認識された場合、第１イヤーセットおよび第２イヤーセットの現在設定値を基本設定値に基づいて変更してよい。例えば、予め設定されたタッチジェスチャーは、２度の連続するタップタッチジェスチャーであってよい。このとき、コンピュータ装置１００は、一定の時間範囲内に連続して２つのイヤーセットでそれぞれ２度の連続するタップタッチジェスチャーが認識された場合、現在設定値を基本設定値に変更してよい。
【００８２】
図５および図６を参照しながら、タップタッチジェスチャーに続くホールドタッチジェスチャーによるタッチ時間に応じてオーディオボリュームのレベルを漸進的に増加または減少させる実施形態について説明した。この場合、利用者の操作未熟や操作ミスによってオーディオボリュームが急激に増加したり急激に減少したりする状況が利用者に提供されることがある。オーディオボリュームの急激な増加は利用者に混乱を与え、一部の場合には利用者の聴覚に異常をもたらす場合もある。このような事態を解決するために、本実施形態において、コンピュータ装置１００は、第１イヤーセットおよび第２イヤーセットそれぞれに対して予め設定されたタッチジェスチャーが、予め設定された時間範囲内に連続して認識された場合、第１イヤーセットおよび第２イヤーセットの現在設定値を基本設定値に基づいて変更することにより、オーディオボリュームを基本設定値に速やかに変更させるように制御することができる。より具体的な実施形態として、コンピュータ装置１００は、予め設定されたタッチジェスチャーが予め設定された時間範囲内に連続して認識されると同時に、現在設定値が予め設定された値の範囲を逸脱した場合、第１イヤーセットおよび第２イヤーセットの現在設定値を基本設定値に基づいて変更してよい。このとき、予め設定された値の範囲は、オーディオボリュームの最大値およびオーディオボリュームの最小値のうちの少なくとも１つに基づいて決定されてよい。
【００８３】
以上では、オーディオボリュームを基本設定値に速やかに変更する実施形態について説明したが、オーディオボリュームの他にも、多様な設定を基本設定値に変更するために図９の実施形態が活用されてよいことは、以上の説明から容易に理解することができるであろう。
【００８４】
このように、本発明の実施形態によると、イヤーセットに含まれる限られた入力インタフェース（一例として、イヤーセットに含まれるタッチセンサのタッチインタフェース）によって、多様な機能をより簡単に制御することができる。例えば、同じタッチジェスチャーに対しても、続くタッチジェスチャーに応じて音源制御およびボリューム制御の互いに異なる制御が可能となる。また、ユーザのイヤーセット着用状況に応じてオーディオ信号の送信を制御することができる。例えば、ユーザがイヤーセットの両方を耳から外した場合、自動で音源の再生を停止したり、電話通話のためのオーディオ信号の送信を停止したりしてよい。さらに、イヤーセットの設定値を速かに基本設定値に戻すことができる。例えば、オーディオボリュームレベルを操作する状況において、オーディオボリュームレベルが急激に極めて高くなったり、反対にオーディオボリュームレベルが急激に極めて低くなったりする場合、ユーザによる簡単なタッチ操作によってオーディオボリュームを速かに基本レベルに戻すことが可能となる。
【００８５】
上述したシステムまたは装置は、ハードウェア構成要素、またはハードウェア構成要素とソフトウェア構成要素との組み合わせによって実現されてよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてよい。処理装置は、オペレーティングシステム（ＯＳ）およびＯＳ上で実行される１つ以上のソフトウェアアプリケーションを実行してよい。また、処理装置は、ソフトウェアの実行に応答し、データにアクセスし、データを記録、操作、処理、および生成してもよい。理解の便宜のために、１つの処理装置が使用されるとして説明される場合もあるが、当業者は、処理装置が複数個の処理要素および／または複数種類の処理要素を含んでもよいことが理解できるであろう。例えば、処理装置は、複数個のプロセッサまたは１つのプロセッサおよび１つのコントローラを含んでよい。また、並列プロセッサのような、他の処理構成も可能である。
【００８６】
ソフトウェアは、コンピュータプログラム、コード、命令、またはこれらのうちの１つ以上の組み合わせを含んでもよく、思うままに動作するように処理装置を構成したり、独立的または集合的に処理装置に命令したりしてよい。ソフトウェアおよび／またはデータは、処理装置に基づいて解釈されたり、処理装置に命令またはデータを提供したりするために、いかなる種類の機械、コンポーネント、物理装置、仮想装置、コンピュータ記録媒体または装置に具現化されてよい。ソフトウェアは、ネットワークによって接続されたコンピュータシステム上に分散され、分散された状態で記録されても実行されてもよい。ソフトウェアおよびデータは、１つ以上のコンピュータ読み取り可能な記録媒体に記録されてよい。
【００８７】
実施形態に係る方法は、多様なコンピュータ手段によって実行可能なプログラム命令の形態で実現されてコンピュータ読み取り可能な媒体に記録されてよい。コンピュータ読み取り可能な媒体は、プログラム命令、データファイル、データ構造などを単独または組み合わせて含んでよい。媒体は、コンピュータ実行可能なプログラムを継続して記録するものであっても、実行またはダウンロードのために一時記録するものであってもよい。また、媒体は、単一または複数のハードウェアが結合した形態の多様な記録手段または格納手段であってよく、あるコンピュータシステムに直接接続する媒体に限定されることはなく、ネットワーク上に分散して存在するものであってもよい。媒体の例としては、ハードディスク、フロッピー（登録商標）ディスク、および磁気テープのような磁気媒体、ＣＤ−ＲＯＭおよびＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどを含み、プログラム命令が記録されるように構成されたものであってよい。また、媒体の他の例として、アプリケーションを配布するアプリケーションストアやその他の多様なソフトウェアを供給または配布するサイト、サーバなどで管理する記録媒体または格納媒体が挙げられる。プログラム命令の例には、コンパイラによって生成されるもののような機械語コードだけでなく、インタプリタなどを使用してコンピュータによって実行される高級言語コードを含む。
【００８８】
以上のように、実施形態を、限定された実施形態および図面に基づいて説明したが、当業者であれば、上述した記載から多様な修正および変形が可能であろう。例えば、説明された技術が、説明された方法とは異なる順序で実行されたり、かつ／あるいは、説明されたシステム、構造、装置、回路などの構成要素が、説明された方法とは異なる形態で結合または組み合わされたり、他の構成要素または均等物によって代替されたり置換されたとしても、適切な結果を達成することができる。
【００８９】
したがって、異なる実施形態であっても、特許請求の範囲と均等なものであれば、添付される特許請求の範囲に属する。
【符号の説明】
【００９０】
４００：イヤーセット機器
４１０：制御部
４２０：スピーカ
４３０：マイク
４４０：タッチセンサ
４５０：接近センサ
４６０：ＬＥＤ
４７０：通信部
【図１】
2020042799.tif 000003
【図２】
2020042799.tif 000004
【図３】
2020042799.tif 000005
【図４】
2020042799.tif 000006
【図５】
2020042799.tif 000007
【図６】
2020042799.tif 000008
【図７】
2020042799.tif 000009
【図８】
2020042799.tif 000010
【図９】
2020042799.tif 000011